(57)【要約】【課題】トレイプッシュ方式のイジェクト機構によりベゼルのデザインや設計の自由度、及び操作性の向上を実現する。【解決手段】ベゼルを固定側ベゼル２０と可動側ベゼル１０に二分割し、ベゼル（押圧リブ１５）でイジェクトスイッチ（タクトスイッチ５２）を直接押さないで、ベゼルとイジェクトスイッチの間にイジェクトスイッチを押すスイッチ用スライダ７０を介するようにする。さらにトレイ開状態とトレイ閉状態でスイッチ用スライダ７０の位置が移動されることで、トレイを閉じようとするときにはイジェクトスイッチが押されず、イジェクトしようとするときのみイジェクトスイッチが押される機構とする。【選択図】図７
2008140471.tif 000002
【特許請求の範囲】
【請求項１】
トレイ引き出し式のメディアドライブ装置のトレイ前面に装着される固定側ベゼルと、
上記固定側ベゼルに対して前面方向に付勢されながら前後方向に移動可能に取り付けられ、電子機器に配備されるメディアドライブ装置の外筐面を形成する可動側ベゼルと、
を有し、
上記固定側ベゼルには、
上記トレイの開閉位置状態に応じて位置変位される検知用部材と、
上記トレイに設けられたイジェクトスイッチに対する押圧部を有するとともに上記検知用部材との関連で位置変位されるスイッチ用部材と、
が配置され、
上記可動側ベゼルには、
上記押圧部に対して上記イジェクトスイッチへの押圧力を付与するための押圧リブが設けられ、
上記トレイが閉状態にあるときは、上記可動側ベゼルが上記固定側ベゼル側に押し込まれることで、上記押圧リブが上記押圧部に押圧力を与えて上記イジェクトスイッチを押圧する状態となるように上記スイッチ用部材が位置し、
上記トレイが開状態にあるときは、上記可動側ベゼルが上記固定側ベゼル側に押し込まれても、上記イジェクトスイッチが上記押圧部に押圧されない状態となるように上記スイッチ用部材が位置することを特徴とするトレイイジェクト機構。
【請求項２】
上記トレイの開閉位置に応じて上記検知用部材に対する当接位置関係が変位されることで、上記トレイの開閉位置に応じて上記検知用部材を位置変位させるアームを、さらに備えることを特徴とする請求項１に記載のトレイイジェクト機構。
【請求項３】
上記トレイが閉状態にあるときは、上記検知用部材の位置に応じて上記スイッチ用部材が、上記押圧部が上記イジェクトスイッチに対向する位置とされることで、上記可動側ベゼルが上記固定側ベゼル側に押し込まれた際に、上記押圧リブによって与えられる押圧力により上記押圧部が上記イジェクトスイッチを押圧し、
上記トレイが開状態にあるときは、上記検知用部材の位置に応じて上記スイッチ用部材が、上記押圧部が上記イジェクトスイッチと非対向の位置とされるとともに、上記可動側ベゼルが上記固定側ベゼル側に押し込まれた際には、上記押圧リブが、上記スイッチ用部材の移動を規制して上記押圧部が上記イジェクトスイッチの対向位置に到達させないことで、上記イジェクトスイッチが押圧されないように構成されていることを特徴とする請求項１に記載のトレイイジェクト機構。
【請求項４】
上記検知用部材、及び上記スイッチ用部材は、上記固定側ベゼル内でスライド移動するスライダとして構成されることを特徴とする請求項１に記載のトレイイジェクト機構。
【請求項５】
トレイ引き出し式のメディアドライブ装置のトレイ前面に装着される固定側ベゼルと、
上記固定側ベゼルに対して前面方向に付勢されながら前後方向に移動可能に取り付けられ、電子機器に配備されるメディアドライブ装置の外筐面を形成する可動側ベゼルと、
所定位置に固定配置されるアームと、
を有し、
上記固定側ベゼルには、
上記トレイの開閉位置に応じた上記アームとの当接位置関係によって位置変位される検知用部材と、
上記トレイに設けられたイジェクトスイッチに対する押圧部を有するとともに上記検知用部材との関連で位置変位されるスイッチ用部材と、
が配置され、
上記可動側ベゼルには、
上記押圧部に対して上記イジェクトスイッチへの押圧力を付与するための押圧リブが設けられ、
上記トレイが閉状態にあるときは、上記検知用部材の位置に応じて上記スイッチ用部材の上記押圧部が上記イジェクトスイッチに対向する位置とされ、上記可動側ベゼルが上記固定側ベゼル側に押し込まれることで、上記押圧リブが、上記押圧部に押圧力を与えて上記イジェクトスイッチが操作され、
上記トレイが開状態にあるときは、上記検知用部材の位置に応じて上記スイッチ用部材の上記押圧部が上記イジェクトスイッチと非対向の位置とされるとともに、上記可動側ベゼルが上記固定側ベゼル側に押し込まれた際には、上記押圧リブが、上記スイッチ用部材の移動を規制して上記押圧部が上記イジェクトスイッチの対向位置に到達させないことで、上記イジェクトスイッチが操作されないように構成されていることを特徴とするトレイイジェクト機構。
【請求項６】
トレイ引き出し式のメディアドライブ装置において、
トレイ前面に装着される固定側ベゼルと、
上記固定側ベゼルに対して前面方向に付勢されながら前後方向に移動可能に取り付けられ、電子機器に配備されるメディアドライブ装置の外筐面を形成する可動側ベゼルと、
を有し、
上記固定側ベゼルには、
上記トレイの開閉位置状態に応じて位置変位される検知用部材と、
上記トレイに設けられたイジェクトスイッチに対する押圧部を有するとともに上記検知用部材との関連で位置変位されるスイッチ用部材と、
が配置され、
上記可動側ベゼルには、
上記押圧部に対して上記イジェクトスイッチへの押圧力を付与するための押圧リブが設けられ、
上記トレイが閉状態にあるときは、上記可動側ベゼルが上記固定側ベゼル側に押し込まれることで、上記押圧リブが上記押圧部に押圧力を与えて上記イジェクトスイッチを押圧する状態となるように上記スイッチ用部材が位置し、
上記トレイが開状態にあるときは、上記可動側ベゼルが上記固定側ベゼル側に押し込まれても、上記イジェクトスイッチが上記押圧部に押圧されない状態となるように上記スイッチ用部材が位置するトレイイジェクト機構を備えたことを特徴とするメディアドライブ装置。
【発明の詳細な説明】
【技術分野】
【０００１】
本発明は例えば光ディスク等の記録メディアを駆動するメディアドライブ装置であってメディアを積載するトレイが引き出し式とされたメディアドライブ装置に関し、特にそのトレイイジェクト機構の構造に関するものである。
【背景技術】
【０００２】
【特許文献１】特開平９−２２３３４８号公報
【０００３】
上記特許文献１には、トレイ引き出し式のディスクドライブ装置の構造が示されている。
例えばパーソナルコンピュータ等の機器に搭載されるディスクドライブ装置においては、このようなトレイ引き出し式のディスクドライブが広く用いられている。
図１６（ａ）は、ノート型のパーソナルコンピュータ１００を例示しているが、例えば筐体側面からトレイが引き出されるようにディスクドライブ装置が装備される。トレイの前面には外筐となるベゼル１０１が取り付けられており、パーソナルコンピュータ１００の外筐の一部を形成している。
そして多くの場合、図のようにベゼル１０１上にイジェクト操作ボタン１０２が設けられており、ユーザがイジェクト操作ボタン１０２を押すことで、トレイが引き出される。
また、図１６（ｂ）のように、ベゼル１０１とは別にイジェクト操作ボタン１０２が設けられる場合もある。
【発明の開示】
【発明が解決しようとする課題】
【０００４】
ところで図１６（ａ）の例のように、イジェクト操作ボタン１０２をベゼル１０１上に設けるようにする理由としては、ディスクドライブ装置の一般的な構造として、イジェクト信号を発信するイジェクトスイッチが、例えばタクトスイッチとしてディスクトレイ先端に装備されているためである。つまりユーザがベゼル１０１上のイジェクト操作ボタン１０２を押すことで、ディスクトレイ前面に配置されたタクトスイッチ（イジェクトスイッチ）が押され、これによってイジェクト信号が発信される。このイジェクト信号に基づいて内部のプランジャ或いはモータ等を有するトレイ駆動機構が動作し、ディスクトレイが排出される。
【０００５】
ところがこのことが、ベゼル１０１上のイジェクト操作ボタン１０２の場所と大きさが制約を受け、デザインや設計に影響を与えている。
また、これらの制約のもとでデザイン、設計されたイジェクト操作ボタン１０２は、ディスクドライブ装置の機器に対する搭載位置によっては、その場所がわかりにくかったり、押しにくかったりして使い勝手が悪いという事態も生じやすい。
【０００６】
これらの欠点を解決するために、図１６（ｂ）のようにベゼル１０１以外の場所にイジェクト操作ボタン１０２を設けることもできるが、その場合は機器側にタクトスイッチ（イジェクトスイッチ）を追加するとともに、そのタクトスイッチからの信号に応じてイジェクト動作が実行されるようにソフトウェアを変更しなければいけないなどの難点がある。
【０００７】
そこで本発明では、ディスクドライブ装置のトレイに設けられるイジェクトスイッチ（タクトスイッチ）をそのまま利用しつつ、ベゼルのデザインや設計の自由度、及び操作性を向上させることを目的とする。
【課題を解決するための手段】
【０００８】
本発明のトレイイジェクト機構は、トレイ引き出し式のメディアドライブ装置のトレイ前面に装着される固定側ベゼルと、上記固定側ベゼルに対して前面方向に付勢されながら前後方向に移動可能に取り付けられ、電子機器に配備されるメディアドライブ装置の外筐面を形成する可動側ベゼルとを有する。上記固定側ベゼルには、上記トレイの開閉位置状態に応じて位置変位される検知用部材と、上記トレイに設けられたイジェクトスイッチに対する押圧部を有するとともに上記検知用部材との関連で位置変位されるスイッチ用部材とが配置される。上記可動側ベゼルには、上記押圧部に対して上記イジェクトスイッチへの押圧力を付与するための押圧リブが設けられる。そして上記トレイが閉状態にあるときは、上記可動側ベゼルが上記固定側ベゼル側に押し込まれることで、上記押圧リブが上記押圧部に押圧力を与えて上記イジェクトスイッチを押圧する状態となるように上記スイッチ用部材が位置し、また上記トレイが開状態にあるときは、上記可動側ベゼルが上記固定側ベゼル側に押し込まれても、上記イジェクトスイッチが上記押圧部に押圧されない状態となるように上記スイッチ用部材が位置するようにする。
また上記トレイの開閉位置に応じて上記検知用部材に対する当接位置関係が変位されることで、上記トレイの開閉位置に応じて上記検知用部材を位置変位させるアームを、さらに備える。
また上記トレイが閉状態にあるときは、上記検知用部材の位置に応じて上記スイッチ用部材が、上記押圧部が上記イジェクトスイッチに対向する位置とされることで、上記可動側ベゼルが上記固定側ベゼル側に押し込まれた際に、上記押圧リブによって与えられる押圧力により上記押圧部が上記イジェクトスイッチを押圧する。上記トレイが開状態にあるときは、上記検知用部材の位置に応じて上記スイッチ用部材が、上記押圧部が上記イジェクトスイッチと非対向の位置とされるとともに、上記可動側ベゼルが上記固定側ベゼル側に押し込まれた際には、上記押圧リブが、上記スイッチ用部材の移動を規制して上記押圧部が上記イジェクトスイッチの対向位置に到達させないことで、上記イジェクトスイッチが押圧されないようになる。
また上記検知用部材、及び上記スイッチ用部材は、上記固定側ベゼル内でスライド移動するスライダとして構成される。
【０００９】
また本発明のトレイイジェクト機構は、トレイ引き出し式のメディアドライブ装置のトレイ前面に装着される固定側ベゼルと、上記固定側ベゼルに対して前面方向に付勢されながら前後方向に移動可能に取り付けられ、電子機器に配備されるメディアドライブ装置の外筐面を形成する可動側ベゼルと、所定位置に固定配置されるアームとを有する。上記固定側ベゼルには、上記トレイの開閉位置に応じた上記アームとの当接位置関係によって位置変位される検知用部材と、上記トレイに設けられたイジェクトスイッチに対する押圧部を有するとともに上記検知用部材との関連で位置変位されるスイッチ用部材とが配置される。上記可動側ベゼルには、上記押圧部に対して上記イジェクトスイッチへの押圧力を付与するための押圧リブが設けられる。そして上記トレイが閉状態にあるときは、上記検知用部材の位置に応じて上記スイッチ用部材の上記押圧部が上記イジェクトスイッチに対向する位置とされ、上記可動側ベゼルが上記固定側ベゼル側に押し込まれることで、上記押圧リブが、上記押圧部に押圧力を与えて上記イジェクトスイッチが操作される。また上記トレイが開状態にあるときは、上記検知用部材の位置に応じて上記スイッチ用部材の上記押圧部が上記イジェクトスイッチと非対向の位置とされるとともに、上記可動側ベゼルが上記固定側ベゼル側に押し込まれた際には、上記押圧リブが、上記スイッチ用部材の移動を規制して上記押圧部が上記イジェクトスイッチの対向位置に到達させないことで、上記イジェクトスイッチが操作されないように構成されている。
【００１０】
また本発明のメディアドライブ装置は、トレイ引き出し式のメディアドライブ装置である。そしてそのトレイイジェクト機構として、トレイ前面に装着される固定側ベゼルと、上記固定側ベゼルに対して前面方向に付勢されながら前後方向に移動可能に取り付けられ、電子機器に配備されるメディアドライブ装置の外筐面を形成する可動側ベゼルとを有する。上記固定側ベゼルには、上記トレイの開閉位置状態に応じて位置変位される検知用部材と、上記トレイに設けられたイジェクトスイッチに対する押圧部を有するとともに上記検知用部材との関連で位置変位されるスイッチ用部材とが配置される。上記可動側ベゼルには、上記押圧部に対して上記イジェクトスイッチへの押圧力を付与するための押圧リブが設けられる。そして上記トレイが閉状態にあるときは、上記可動側ベゼルが上記固定側ベゼル側に押し込まれることで、上記押圧リブが上記押圧部に押圧力を与えて上記イジェクトスイッチを押圧する状態となるように上記スイッチ用部材が位置する。また上記トレイが開状態にあるときは、上記可動側ベゼルが上記固定側ベゼル側に押し込まれても、上記イジェクトスイッチが上記押圧部に押圧されない状態となるように上記スイッチ用部材が位置する。
【００１１】
このような本発明は、例えばノート型パーソナルコンピュータなどの機器で広く使用されているトレイ式光学ディスクドライブなどのメディアドライブ装置において、そのトレイの先端に装着されたベゼルを押すことで、トレイをイジェクトできる機構を、メディアドライブ装置自身の機構およびソフトウェアに改造を加えることなく実現するものである。
例えばディスクドライブ装置のディスクトレイの前面に、上記固定側ベゼルと可動側ベゼルを取り付けることで、本発明が実現できる。
【００１２】
本発明の構造では、トレイのイジェクト信号を発信するイジェクトスイッチとして、トレイの先端に通常装備されているタクトスイッチをそのまま使用する。
従来は図１６（ａ）を参照して述べたように、このタクトスイッチをベゼル上に設置したイジェクト操作ボタン１０２を使って押すのであるが、本発明では、ベゼル全体（可動側ベゼル）をユーザがイジェクト操作ボタン１０２の代わりに押す構造とする。つまりベゼル全体が、ユーザが押圧操作できる構造とする。これは、ベゼル上にユーザが操作するイジェクト操作ボタンを設ける必要がなくなることを意味する。
ただし、ベゼル全体を押圧することで内部のイジェクトスイッチが押されることとすると、そのままでは不都合が生ずる。即ちユーザがトレイを閉じようとするときには、ベゼルを押し込むことになるため、このときにもベゼルがイジェクトスイッチを押してしまうことになる。すると、ユーザが閉じようとする際にもイジェクト信号が発信されることになるため、トレイは閉じた直後にイジェクトされ、ディスクトレイを閉じることができないということになってしまう。
そこで本発明ではベゼルを固定側ベゼルと可動側ベゼルに二分割することと、ベゼルでイジェクトスイッチを直接押さないで、ベゼルとイジェクトスイッチの間にイジェクトスイッチを押すスイッチ用部材を介すること、さらには、開状態と閉状態でスイッチ用部材の位置が移動されることで、トレイを閉じようとするときにはイジェクトスイッチが押されず、イジェクトしようとするときのみイジェクトスイッチが押されるような機構を実現したものである。
【発明の効果】
【００１３】
本発明によれば、ベゼル上にイジェクト操作ボタンを設けずに、ベゼル自体を操作ボタンとするベゼルプッシュ式のイジェクト機構を実現でき、従って、ベゼルのデザイン上、設計上の制約をなくすことができる。また、パーソナルコンピュータ等の機器において、従来の小さなイジェクト操作ボタンをでは見えにくかったり、押しづらかったりした場所にもメディアドライブ装置をレイアウトすることができ、機器全体のデザイン的・設計的制約も少なくすることができ、ユーザーにとっても使い勝手が向上する。これらのことから、メディアドライブ装置自体の外観、メディアドライブ装置を搭載した機器の外観の向上、及び使用性の向上を実現できる。
また、トレイを閉じようとするときにはベゼルの内方に位置するイジェクトスイッチが押されず、イジェクトしようとするときのみイジェクトスイッチが押される機構を実現するため、ベゼルプッシュ式とした場合の不都合も解消される。
またこのことから、通常のメディアドライブ装置の構造に対して、トレイ前面に本発明構造のベゼル（固定側ベゼルと可動側ベゼル）を取り付ければよく、ドライブ側の構造やソフトウエア変更も不要であるため、実現が容易であるという利点も得られる。
【発明を実施するための最良の形態】
【００１４】
以下、図１〜図１５を用いて本発明の実施の形態を説明する。実施の形態では、メディアドライブ装置の一例として光ディスクに対して記録又は再生を行うディスクドライブ装置を挙げる。
図１（ａ）（ｂ）は、ディスクドライブ装置２が搭載された機器の筐体１を示している。当該機器としてはパーソナルコンピュータ等の情報機器や、ＡＶディスクプレーヤ、ＡＶディスクレコーダなどのＡＶ（Audio Visual）機器などが想定される。なお、この図１の機器は円柱形状の筐体１を持つものとしているが、これは一例であり、方形の筐体とされる機器であっても良い。
この例の場合、筐体１の円柱側面となる部位においてディスクドライブ装置２が配設される。図１（ａ）はディスクトレイ５０が閉じられた状態、図１（ｂ）はディスクトレイ５０が開いた（引き出された）状態を概略的に示したものである。
【００１５】
ディスクトレイ５０には、光ディスクのセンターホールを嵌め込むチャッキング部や光ピックアップが搭載されている。ユーザは図１（ｂ）のようにディスクトレイ５０をイジェクトすることで、光ディスクを挿入もしくは取り出すことができる。
ここで、本例の場合、ディスクトレイ５０の前面に取り付けられるベゼルは、可動側ベゼル１０と固定側ベゼル２０により形成されている。
固定側ベゼル２０は、ディスクトレイ５０の前面に固定装着されている。
可動側ベゼル１０は、固定側ベゼル２０に対して、前面方向に付勢されながら前後方向に移動可能に取り付けられている。つまりユーザが、可動側ベゼル１０を固定側ベゼル２０側（筐体奥行き方向）に押し込むことができる状態で取り付けられている。
【００１６】
この例の場合、可動側ベゼル１０のベゼル前面部１１は、筐体１の円柱側面と同様の曲率の湾曲面とされており、筐体１の円柱側面の一部となるようにされている。
そしてこのように筐体側面の一部を形成する可動側ベゼル１０の全体が、ユーザにとってのイジェクト操作ボタンとして機能する。
つまり図１（ａ）の状態において、ユーザがベゼル前面部１１を押すことで、ディスクトレイ５０に設けられているイジェクトスイッチ（後述するタクトスイッチ５２）が押圧され、ディスクドライブ装置２のイジェクト動作が行われて図１（ｂ）のようにディスクトレイ５０が排出される。
一方、図１（ｂ）のようにディスクトレイ５０が開いた状態から、ディスクトレイ５０を閉じるためには、ユーザはベゼル前面部１１を筐体１の内部に向かって押し込む。ただしこのときは、可動側ベゼル１０が押されても、イジェクトスイッチは押されない構造としている。
【００１７】
以下、このようなトレイイジェクト機構について詳述する。
まず図２（ａ）（ｂ）（ｃ）に、可動側ベゼル１０の正面図、平面図、Ａ−Ａ断面図を示す。
上記のようにベゼル前面部１１は、筐体１の円柱側面と同様の曲率の湾曲面とされている。
この可動側ベゼル１０は例えば樹脂により成形され、可動側ベゼル１０の内部には、強度維持や固定側ベゼル２０との取付のために機能する一対の係止リブ１２が設けられ、また両端部に係止片１３が設けられる。係止リブ１２には係止孔１２ａが形成されている。
また中央部にはバネ押圧部１６が設けられる。バネ押圧部１６の両側方には一対の位置決めリブ１４が形成されている。
また、後述するディスクトレイ５０のタクトスイッチ５２に対応する位置に、押圧リブ１５が形成されている。
【００１８】
図３（ａ）は、固定側ベゼル２０を下方からの斜視図で示している。
また図３（ｂ）は固定側ベゼル２０をディスクトレイ５０の前面に取り付けたディスクドライブ装置２を下方から見た斜視図である。
なお、図３（ｂ）では、固定側ベゼル２０に図４，図５，図６で説明するトレイ位置検知用スライダ６０，スイッチ用スライダ７０が取り付けられた状態で示している。
【００１９】
まず図３（ａ）で固定側ベゼル２０の構造を述べる。
図３（ａ）の固定側ベゼル２０も例えば樹脂により成形される。固定側ベゼル２０はディスクトレイ５０の前面に装着可能な所定の長方形状の基板に図示する各種部位が形成される。まず、可動側ベゼル１０の取付のために中央部近辺に一対の係止爪２２が設けられ、また両端部に一対の係止片２３が設けられる。
また中央部にはバネ装填部２６が設けられる。バネ装填部２６の両側方には一対の位置決めリブ２４が形成されている。
【００２０】
可動側ベゼル１０は、このような固定側ベゼル２０に対して、図７のように取り付けられる。
まず可動側ベゼル１０の位置決めリブ１４，１４が、固定側ベゼル２０の位置決めリブ２４，２４に対して、それぞれ中央側に入り込むことによって取付位置が規定される。
さらに、バネ装填部２６にはベゼル用押しバネ８３が装填され、これを可動側ベゼル１０のバネ押圧部１６が押圧する状態とされる。
ベゼル用押しバネ８３によって、可動側ベゼル１０は固定側ベゼル２０より離れる方向（前面方向）に付勢されるが、この方向へ可動側ベゼル１０が外れ落ちないように、固定側ベゼル２０の係止爪２２，２２が、可動側ベゼル１０の係止リブ１２，１２の各係止孔１２ａ，１２ａに係止される状態となる。また、図７では表れないが、両端部で、固定側ベゼル２０の係止片２３，２３が可動側ベゼル１０の係止片１３，１３に係止する。
このような構造により、可動側ベゼル１０は、固定側ベゼル２０に対して、前面方向に付勢されながら前後方向に移動可能に取り付けられている。即ち可動側ベゼル１０が、ユーザが操作スイッチとして認識できる所要の可動範囲を持って、固定側ベゼル２０側に押し込まれることが可能な状態となっている。
【００２１】
図３（ａ）に戻って固定側ベゼル２０の説明を続ける。
固定側ベゼル２０にはトレイ位置検知用スライダ６０とスイッチ用スライダ７０を収納するスライダ収納部２５が設けられている。このスライダ収納部２５は、固定側ベゼル２０の背面部、上面側リブ、底面側リブに囲まれた部位として形成され、爪２８により、各スライダ６０，７０が前面方向に脱落しないようにされる。またスライダ収納部２５の背面部側（ディスクトレイ５０側）は、開口部３０，３１が形成されている。
また、スライダ収納部２５の上面側リブと底面側リブには、所要位置にトレイ位置検知用スライダ６０のスライド移動範囲を規制するストッパリブ２７，２７と、スイッチ用スライダ７０のスライド移動範囲を規制するストッパリブ２９、２９が形成されている。
また、バネ係止部２１が設けられている。
【００２２】
このスライダ収納部２５には、図３（ｂ）に示すようにトレイ位置検知用スライダ６０とスイッチ用スライダ７０が配置される。
トレイ位置検知用スライダ６０とバネ係止部２１の間には、スライダ用引きバネ８１が取り付けられる。
また、トレイ位置検知用スライダ６０とスイッチ用スライダ７０は、互いに係止されながら、スライダ用押しバネ８０が介在されるようにされている。
【００２３】
また、トレイ位置検知用スライダ６０は、開口部３１の前面に位置するが、この開口部３１に対応する位置にアーム５１が取り付けられている。アーム５１は、図７からわかるように、例えば４５°程度の傾斜を持つ先端部を有する。この傾斜された端面側がトレイ位置検知用スライダ６０に当接する。
アーム５１は、図示しないディスクドライブ装置２のブラケット、或いはシャーシ、或いは当該ディスクドライブ装置２を備えた電子機器の内部基板、筐体の一部などに固定配置されればよい。つまり機器或いはディスクドライブ装置２の構造に応じて、アーム５１の先端部が開口部３１に対応する位置状態となるようにアーム５１ぼ取付箇所が決められればよい。
【００２４】
またスイッチ用スライダ７０は、開口部３０の前面に位置するが、図３（ｂ）に示すように、この開口部３０から、ディスクトレイ５０の前面に設けられているタクトスイッチ５２が表出されるようにされている。タクトスイッチ５２は、ディスクドライブ装置２において押圧されることでイジェクト信号を発行するスイッチである。つまり、タクトスイッチ５２が押されることで、図示しないイジェクト機構が駆動され、ディスクトレイ５０のイジェクト動作が行われる。
【００２５】
スイッチ用スライダ７０、トレイ位置検知用スライダ６０について、図４，図５，図６で説明する。
図４（ａ）（ｂ）（ｃ）（ｄ）はスイッチ用スライダ７０の正面図、平面図、底面図、左側面図を示している。
スイッチ用スライダ７０は、スライド本体部７１内に、薄肉部７４ａを介して可動板部７４が形成され、この可動板部７４の下面側に押圧部７５が形成されている。この押圧部７５が、上記のタクトスイッチ５２を押圧する部位となる。
即ち、可動側ベゼル１０に設けられた押圧リブ１５が、可動板部７４の上面を押すと、可動板部７４が薄肉部７４ａを介して下方にたわみ、その際に押圧部７５がタクトスイッチ５２を押圧することができる構造とされている。
またスライド本体部７１から係合片部７３が連続して形成されている。
また係合片部７２の下方に、スライダ用押しバネ８０を支持するバネ支持部７３が設けられている。
【００２６】
図５（ａ）（ｂ）（ｃ）（ｄ）はトレイ位置検知用スライダ６０の正面図、平面図、底面図、左側面図を示している。
トレイ位置検知用スライダ６０は、スライド本体部６１から係合片部６２が連続して形成されている。
また係合片部６２の下方に、スライダ用押しバネ８０を支持するバネ支持部６３が設けられている。
さらに、スライダ用引きバネ８１の一端を係止するバネ係止部６４が設けられている。
【００２７】
このトレイ位置検知用スライダ６０とスイッチ用スライダ７０は、図６（ａ）（ｂ）に平面方向及び正面方向から示すように係合した状態で、固定側ベゼル２０内に組み込まれる。
即ち、トレイ位置検知用スライダ６０の係合片部６２に対して、スイッチ用スライダ７０の係合片部７２が、覆い被さるように係合する。バネ支持部６３、７３の間にはスライダ用押しバネ８０が取り付けられることで、両スライダは、互いに離間する方向に付勢されながら、係合片部６２、７２により、その離間が制限される。
また、図のようにスライダ用引きバネ８１が、トレイ位置検知用スライダ６０のバネ係止部６４と、図３に示した固定側ベゼル２０のバネ係止部２１の間に掛け渡される。
各スライダ６０，７０は、このような状態で、図３（ｂ）及び図７に示すように、固定側ベゼル２０内に組み込まれている。
【００２８】
動作説明に先立って、各構成部品の機能を示すと以下のとおりである。
・固定側ベゼル２０：可動側ベゼル１０をディスクトレイ５０に固定する役割と両スライダ６０，７０のガイドとなる。
・可動側ベゼル１０：固定側ベゼル２０に対しディスクトレイ５０の開閉と同じ方向に可動し、スイッチ用スライダ７０を介してディスクトレイ５０のタクトスイッチ５２を押す。従来のイジェクトボタンと同じ役割を果たす。
・トレイ位置検知用スライダ６０：トレイ位置検知用スライダ６０は開口部３１から挿入されるアーム５１に接触することでディスクトレイ５０の開閉に連動した往復直線運動を行う。
・スイッチ用スライダ７０：トレイ位置検知用スライダ６０と連動しながら、ディスクトレイ５０が閉まっているときのみ可動側ベゼル１０の押圧リブ１５の押圧力によりタクトスイッチ５２を押す。
・アーム５１：ディスクドライブ装置２の脇となる位置に固定されディスクトレイ５０が閉じる直前よりトレイ位置検知用スライダ６０に接触してトレイ位置検知用スライダ６０をスライドさせる。
・ベゼル用押しバネ８３：可動側ベゼル１０を常に押し出すように働く。
・スライダ用押しバネ８０：両スライダ６０，７０が一定の距離を保つように働く。
・スライダ用引きバネ８１：トレイ位置検知用スライダ６０を所定方向（図中右方向）に常に引っ張るように働く。
【００２９】
以下、ディスクトレイ５０の開閉及び経過状態に応じた各部の状態を説明する。
【００３０】
＜ディスクトレイ５０が開いた状態＞
図３（ｂ）及び図７は、ディスクトレイが開いている状態である。
この状態ではトレイ位置検知用スライダ６０はスライダ用引きバネ８１により、図中右方向に引っ張られ、ストッパリブ２７で規制される位置に達している。
スイッチ用スライダ７０は、スライダ用押しバネ８０によって、トレイ位置検知用スライダ６０に対し図中左側に押されつつも、トレイ位置検知用スライダ６０との係合関係により引っ張られ、トレイ位置検知用スライダ６０との所定距離を保って静止している。
【００３１】
＜ディスクトレイ５０を閉じようとした瞬間の状態＞
図８はディスクトレイを閉じようとした瞬間の状態を示している。即ちユーザが、図１（ｂ）の状態のディスクトレイ５０を閉めようとして、可動側ベゼル１０のベゼル前面部１１を押した瞬間の状態である。
可動側ベゼル１０が押されると、ディスクドライブ装置２のディスクトレイ５０をイジェクトしようとする力が反力となって、可動側ベゼル１０がベゼル用押しバネ８３を押し縮めながら固定側ベゼル２０に向かって押し込められる。そのままユーザによって可動側ベゼル１０が押し続けられることで、ディスクトレイ５０が筐体１へ押し入れられていく。
【００３２】
上記のようにディスクトレイ５０が開いている際には、スイッチ用スライダ７０は、スライダ用引きバネ８１の作用で図中右側に引っ張られているトレイ位置検知用スライダ６０に引っ張られ、トレイ位置検知用スライダ６０との所定距離を保って静止している。そしてこの位置状態では、図７，図８からわかるようにスイッチ用スライダ７０の押圧部７５は、タクトスイッチ５２に対向しない位置にある。
このため、図８のように可動側ベゼル１０が押されても、可動側ベゼル１０の押圧リブ１５は、スイッチ用スライダ７０に当接しない。
つまり押圧リブ１５がスイッチ用スライダ７０の可動板部７４を押し、これによって押圧部７５がタクトスイッチ５２を押圧するという動作は行われない。
【００３３】
＜アーム５１がトレイ位置検知用スライダ６０に接触した状態＞
図９、図１０にアーム５１がトレイ位置検知用スライダ６０に接触した状態を平面方向及び正面方向から示す。
ディスクトレイ５０が押し入れられていくと、やがてアーム５１が開口部３１を介して固定側ベゼル２０内に挿入され、図９に示すようにアーム５１の先端（傾斜された端面側）がトレイ位置検知用スライダ６０に当接する。
【００３４】
このようにアーム５１がトレイ位置検知用スライダ６０と接触してからさらにディスクトレイ５０が押し込まれると、アーム５１の傾斜端面を有する先端部が、より深く開口部３１から挿入されていくことから、トレイ位置検知用スライダ６０が、アーム５１の先端に押されて図中左側にスライドしていくことになる。
これに応じてスイッチ用スライダ７０も図中左側に動こうとするが、図９，図１０のようにスイッチ用スライダ７０の左方へのスライドが、可動側ベゼル１０の押圧リブ１５に阻まれる状態となっており（図１０では、可動側ベゼル１０については押圧リブ１５のみを示している）、スイッチ用スライダ７０はスライドできない。従って、トレイ位置検知用スライダ６０だけが、スライダー用押しバネ８０を押し縮めながら、図中左側に動くことになる。
【００３５】
＜ディスクトレイ５０が一番奥まで入った状態＞
図１１，図１２に、ディスクトレイ５０がディスクドライブ装置２に対して一番奥まで入った状態を平面方向、正面方向から見た場合を示している。また図１３に、同状態を斜視図で示している。即ち、ユーザがディスクトレイ５０を一番奥まで押し込んだときの状態である。
上記のようにアーム５１によってトレイ位置検知用スライダ６０だけが、スライダー用押しバネ８０を押し縮めながら、図中左側に動き、これら図１１，図１２，図１３に示す状態となる。
【００３６】
＜ディスクトレイ５０が閉じた状態＞
図１１，図１２，図１３のようにディスクトレイ５０がディスクドライブ装置２の一番奥まで入った後、ユーザが手を可動側ベゼル１０から離した状態が、ディスクトレイ５０が閉じた状態である。
図１４，図１５にディスクトレイ５０が閉じた状態を平面方向、正面方向から見た場合を示している。
ユーザが、可動側ベゼル１０から指を離すと、それまで縮んでいたベゼル用押しバネ８３が伸びて可動側ベゼル１０を前方に押し戻す。
可動側ベゼル１０が押し戻されると、それまで可動側ベゼル１０の押圧リブ１５に動きを阻まれていたスイッチ用スライダ７０が、スライダ用押しバネ８０に押されて図中左側に、ストッパリブ２９で制限される位置まで動く。
この状態が図１４，図１５に示されているが（図１５では、可動側ベゼル１０については押圧リブ１５のみを示している）、これらの図からわかるように、スイッチ用スライダ７０の可動板部７４が、押圧リブ１５の先端の間隙に滑り込むように位置することになる。さらに、その位置において、可動板部７４に設けられている押圧部７５が、タクトスイッチ５２に対向するように位置する。
【００３７】
これが図１（ａ）の状態での位置関係である。
すると、ユーザが可動側ベゼル１０のベゼル前面部１１を押すと、押圧リブ１５がスイッチ用スライダ７０の可動板部７４を押し、これによって可動板部７４に設けられた押圧部７５がタクトスイッチ５２を押圧することになる。
タクトスイッチ５２が押圧されることでイジェクト信号を発信し、図示しないイジェクト機構が駆動され、ディスクトレイ５０が排出される。
【００３８】
ディスクトレイ５０がイジェクトされると、アーム５１とトレイ位置検知用スライダ６０の接触がなくなり、トレイ位置検知用スライダ６０とスイッチ用スライダ７０はスライダ用引きバネ８１に引っ張られて図中左側に引き戻される。即ち図３（ｂ）及び図７に示した位置状態となる。
【００３９】
以上の動作からわかるように、ディスクトレイ５０が閉じた状態にある場合のみ、ユーザが可動側ベゼル１０のベゼル前面部１１を押すことで、タクトスイッチ５２が押圧され、イジェクト機構が駆動される。
ディスクトレイ５０が開いている状態から、閉じるためにベゼル前面部１１が押されても、タクトスイッチ５２は押圧されない。またディスクトレイ５０を完全に閉じるためにユーザがベゼル前面部１１を押し続けても、ディスクトレイ５０が最も奥に至るまで、タクトスイッチ５２が押圧されることはない。
【００４０】
従ってこのような実施の形態のトレイイジェクト機構により、ベゼル上にイジェクト操作ボタンを設けずに、ベゼル自体を操作ボタンとするベゼルプッシュ式のイジェクト機構を実現できる。つまり「ベゼルを押す」というユーザの操作によって、むやみにイジェクト駆動機構が働いてしまうということはなく、ディスクトレイ５０を閉じようとしても再びイジェクトされてしまうような不都合は生じない。
そして、ベゼル自体をイジェクト操作ボタンとして使用できることで、ベゼル（可動側ベゼル１０）のデザイン上、設計上の制約をなくすことができる。これによって、図１のように円柱側面状の部位に体裁良いベゼル前面部１１を設計したり、或いは、平面部に任意の形状デザインを加えることなども可能となる。
またユーザにとっては、ベゼル前面部１１の全体が、大きなイジェクト操作ボタンとなるため、非常に操作性が良いものとなる。
さらにこのことは、例えばパーソナルコンピュータ等の機器において、従来の小さなイジェクト操作ボタンをでは見えにくかったり、押しづらかったりした場所にもメディアドライブ装置をレイアウトすることができるということにもつながり、機器のデザイン的・設計的制約も少なくすることができる。
これらのことから、ディスクドライブ装置自体の外観、ディスクドライブ装置を搭載した機器の外観の向上、及び使用性の向上を実現できる。
【００４１】
また本例のイジェクト機構は、通常の引き出し型のディスクトレイ５０の前面に固定側ベゼル２０と可動側ベゼル１０を取り付け、かつディスクドライブ装置２の所要箇所にアーム５１を取り付ければ実現でき、ディスクドライブ装置２側の構造やソフトウエア変更も不要であるため、実現が容易である。
【００４２】
なお実施の形態では、ディスクドライブ装置２に適用した例を挙げたが、トレイ引き出し型の各種メディアドライブに本発明は広く適用できる。
例えば光ディスクとして、ＣＤ（Compact Disc）、ＤＶＤ（Digital Versatile Disc）などのベアディスクをトレイに搭載するディスクドライブ装置や、光ディスクをカートリッジに収納したメディアに対して、そのカートリッジディスクをトレイに搭載するディスクドライブ装置などに適用できる。
さらにテープメディアカートリッジをトレイに搭載するテープドライブ装置、フラッシュメモリメディア、ホログラムメモリメディアなどに対して、トレイを用いて装着するタイプのメディアドライブに本発明は適用できる。
【図面の簡単な説明】
【００４３】
【図１】本発明の実施の形態のディスクドライブ装置を搭載した機器の斜視図である。
【図２】実施の形態の可動側ベゼルの正面図、平面図、Ａ−Ａ断面図である。
【図３】実施の形態の固定側ベゼル及び固定側ベゼルを装着したディスクドライブ装置の斜視図である。
【図４】実施の形態のスイッチ用スライダの正面図、平面図、底面図、左側面図である。
【図５】実施の形態のトレイ位置検知用スライダの正面図、平面図、底面図、左側面図である。
【図６】実施の形態のスイッチ用スライダとトレイ位置検知用スライダの係合状態の説明図である。
【図７】実施の形態のディスクトレイが開いた状態を平面方向から見た説明図である。
【図８】実施の形態のディスクトレイを閉じようとした瞬間の状態を平面方向から見た説明図である。
【図９】実施の形態のアームがトレイ位置検知用スライダに接触した状態を平面方向から見た説明図である。
【図１０】実施の形態のアームがトレイ位置検知用スライダに接触した状態を正面方向から見た説明図である。
【図１１】実施の形態のディスクトレイが一番奥まで入った状態を平面方向から見た説明図である。
【図１２】実施の形態のディスクトレイが一番奥まで入った状態を正面方向から見た説明図である。
【図１３】実施の形態のディスクトレイが閉じた状態の斜め下方から見た説明図である。
【図１４】実施の形態のディスクトレイが閉じた状態の平面方向から見た説明図である。
【図１５】実施の形態のディスクトレイが閉じた状態の正面方向から見た説明図である。
【図１６】従来のイジェクト操作ボタンを備えたディスクドライブ装置の説明図である。
【符号の説明】
【００４４】
１  筐体、２  ディスクドライブ装置、１０  可動側ベゼル、１１  ベゼル前面部、１５  押圧リブ、１６  バネ押圧部、２０  固定側ベゼル、２５  スライダ収納部、５１  アーム、５２  タクトスイッチ、６０  トレイ位置検知用スライダ、７０  スイッチ用スライダ、７４  可動板部、７５  押圧部、８０  スライダ用押しバネ、８１  スライダ用引きバネ、８３  ベゼル用押しバネ
【図１】
2008140471.tif 000003
【図２】
2008140471.tif 000004
【図３】
2008140471.tif 000005
【図４】
2008140471.tif 000006
【図５】
2008140471.tif 000007
【図６】
2008140471.tif 000008
【図７】
2008140471.tif 000009
【図８】
2008140471.tif 000010
【図９】
2008140471.tif 000011
【図１０】
2008140471.tif 000012
【図１１】
2008140471.tif 000013
【図１２】
2008140471.tif 000014
【図１３】
2008140471.tif 000015
【図１４】
2008140471.tif 000016
【図１５】
2008140471.tif 000017
【図１６】
2008140471.tif 000018